(57)【要約】【課題】アルミ製サッシにおけるレールのようなリブを少ない労力で、かつ、多量の粉塵を発生することもなく美麗に切断できるリブ切断具。【解決手段】リブ切断対象物Ｓから突出する長尺状のリブＲを切断して除去するリブ切断具であって、リブＲの一側面に当接自在な支点部材２とリブＲの他側面に当接自在な力点部材３を備え、かつ、力点部材３に対して支点部材２周りへの回動力を付与する回動力付与手段９を備え、回動力付与手段９により力点部材３に回動力を付与しながら、支点部材２と力点部材３をリブＲの長手方向に沿って移動させて、力点部材３の回動力に起因するせん断力でリブＲを切断する。【選択図】        図１
2004181562.tif 000002
【特許請求の範囲】
【請求項１】
リブ切断対象物から突出する長尺状のリブを切断して除去するリブ切断具であって、
前記リブの一側面に当接自在な支点部材と前記リブの他側面に当接自在な力点部材を備え、かつ、その力点部材に対して前記支点部材周りへの回動力を付与する回動力付与手段を備えていて、その回動力付与手段により前記力点部材に回動力を付与しながら、前記支点部材と力点部材を前記リブの長手方向に沿って移動させて、前記力点部材の回動力に起因するせん断力で前記リブを切断するように構成されているリブ切断具。
【請求項２】
前記支点部材と力点部材が、所定距離を置いて切断具本体から突設され、かつ、前記回動力付与手段が、人為操作用の操作部材により構成されていて、その操作部材が前記切断具本体から延出されている請求項１に記載のリブ切断具。
【請求項３】
前記切断具本体が、前記操作部材に対して取り付け及び取り外し自在に構成されている請求項２に記載のリブ切断具。
【請求項４】
前記支点部材と力点部材が、前記切断具本体に対して取り付け及び取り外し自在に構成されている請求項２または３に記載のリブ切断具。
【請求項５】
前記リブ切断対象物が、アルミ製のサッシである請求項１〜４のいずれか１項に記載のリブ切断具。
【発明の詳細な説明】
【０００１】
【発明の属する技術分野】
本発明は、リブ切断対象物から突出する長尺状のリブを切断して除去するリブ切断具に関する。
【０００２】
【従来の技術】
このリブ切断具は、例えば、既存のアルミ製サッシ（リブ切断対象物の一例）において、サッシ外枠を建物側に残したままでサッシ内枠（サッシ業界では、一般に「障子」と称している）のみを新たなものにリフォームする際、サッシ外枠から突出する既存のレールや竪突条（リブの一例）を切断して除去するのに使用するもので、従来、このようなリブ切断専用の工具は存在しなかった。
したがって、レールや竪突条のようなリブを切断する必要が生じた場合、従来からあるサンダーやジグソーなどの切断用電動工具を使用して切断するか、あるいは、のみとハンマーを使用して切断するしか方法はなかった。
【０００３】
【発明が解決しようとする課題】
しかし、サンダーやジグソーなどの電動工具を使用して切断すると、切断の際に多量の粉塵が発生するばかりか、切断面が美麗に仕上がらず、例えば、既存のアルミ製サッシの外枠を再利用する場合であれば、その切断面の仕上げ作業に多くの労力を必要とすることになる。
また、のみとハンマーにより人為的に切断しようとすると、多大の労力を要する割には、切断面が美麗に仕上がらないという問題がある。
【０００４】
本発明は、このような実情に鑑みたもので、その目的は、例えば、アルミ製サッシにおけるレールのようなリブを少ない労力で、かつ、多量の粉塵を発生することもなく美麗に切断できるリブ切断具を提供することにある。
【０００５】
【課題を解決するための手段】
請求項１の発明の特徴構成は、リブ切断対象物から突出する長尺状のリブを切断して除去するリブ切断具であって、前記リブの一側面に当接自在な支点部材と前記リブの他側面に当接自在な力点部材を備え、かつ、その力点部材に対して前記支点部材周りへの回動力を付与する回動力付与手段を備えていて、その回動力付与手段により前記力点部材に回動力を付与しながら、前記支点部材と力点部材を前記リブの長手方向に沿って移動させて、前記力点部材の回動力に起因するせん断力で前記リブを切断するように構成されているところにある。
【０００６】
請求項１の発明の特徴構成によれば、リブ切断対象物から突出する長尺状のリブの一側面に支点部材を当接させ、リブの他側面に力点部材を当接させて、回動力付与手段により回動力を付与すると、リブの側面に当接する力点部材に対して、梃子の原理により支点部材周りへの大きな回動力が付与され、その大きな回動力に起因するせん断力によってリブが確実に切断される。
したがって、たとえ人為的に回動力を付与する場合であっても、少ない労力でリブを切断することができ、しかも、リブの切断はせん断によるものであるから、サンダーやジグソーなどの電動工具を使用する場合のように多量の粉塵を発生することもなく、また、その切断面も美麗であり、支点部材と力点部材をリブの長手方向に沿って移動させることにより長尺状のリブを少ない労力で美麗に切断することができる。
【０００７】
請求項２の発明の特徴構成は、前記支点部材と力点部材が、所定距離を置いて切断具本体から突設され、かつ、前記回動力付与手段が、人為操作用の操作部材により構成されていて、その操作部材が前記切断具本体から延出されているところにある。
【０００８】
請求項２の発明の特徴構成によれば、支点部材と力点部材が、所定距離を置いて切断具本体から突設され、かつ、回動力付与手段が、人為操作用の操作部材により構成されていて、その操作部材が切断具本体から延出されているので、操作部材を人為的に回動操作することにより、力点部材に対して大きな回動力が付与されてリブを楽に切断できるとともに、電動モータなどを必要としないので、使い勝手が良くて騒音の発生も少ない。
【０００９】
請求項３の発明の特徴構成は、前記切断具本体が、前記操作部材に対して取り付け及び取り外し自在に構成されているところにある。
【００１０】
請求項３の発明の特徴構成によれば、支点部材と力点部材を備えた切断具本体が、操作部材に対して取り付け及び取り外し自在に構成されているので、形状や構成の異なる各種の支点部材や力点部材を備えた複数種類の切断具本体を予め準備しておくことにより、厚さや形状の異なる種々のリブに対応して、そのリブを確実に切断することができる。
【００１１】
請求項４の発明の特徴構成は、前記支点部材と力点部材が、前記切断具本体に対して取り付け及び取り外し自在に構成されているところにある。
【００１２】
請求項４の発明の特徴構成によれば、支点部材と力点部材が、切断具本体に対して取り付け及び取り外し自在に構成されているので、この場合にも、形状や構成の異なる複数種類の支点部材や力点部材を予め準備しておくことにより、種々のリブに対応することができるとともに、特に、請求項３に記載の構成と組み合わせる場合には、各種リブに対する対応範囲が更に一層拡大する。
【００１３】
請求項５の発明の特徴構成は、前記リブ切断対象物が、アルミ製のサッシである。
【００１４】
請求項５の発明の特徴構成によれば、リブ切断対象物が、アルミ製のサッシであるから、後に詳しく説明するように、既存のアルミ製サッシにおいて、その外枠を再使用して内枠のみを新たなものにリフォームする場合、このリブ切断具を使用してアルミ製サッシの外枠から不必要な既存のレールや竪突条などを確実に除去することができる。
【００１５】
【発明の実施の形態】
本発明によるリブ切断具の実施の形態を図面に基づいて説明する。
このリブ切断具は、例えば、図１に示すように、リブ切断対象物の一例であるアルミ製のサッシＳにおいて、長尺状のリブの一例であるレールＲや竪突条などを切断して除去するためのもので、図２に詳細に示すように、アルミや鉄などの金属からなるブロック状の切断具本体１を備え、切断具本体１の一面には、ビス１ｂによって合成樹脂製の保護板１ａが取り付けられている。
切断具本体１の保護板１ａ側の面には、支点部材２を挿入して取り付けるための円形の支点部材取り付け孔４と力点部材３を挿入して取り付けるための円形の力点部材取り付け孔５が、所定距離Ｌを置いて穿設され、切断具本体１の側面には、各取り付け孔４，５に貫通する固定用ねじ孔６，７が設けられ、さらに、両取り付け孔４，５の並び方向に対向する面のうち、支点部材取り付け孔４側に位置する面には、操作部材取り付け用のねじ孔８が設けられている。
【００１６】
切断具本体１のねじ孔８に取り付けられる人為操作用の操作部材９は、後に詳しく説明するように、回動力付与手段として機能するもので、１本あるいは２本以上の単位操作部材１０により構成されている。
各単位操作部材１０は、全て同じ形状及び構成を備え、アルミや鉄などの金属製丸棒で形成され、その一端には切断具本体１のねじ孔８に螺合するねじ部１０ａが設けられ、他端にはねじ孔８と同形のねじ孔１０ｂが設けられ、かつ、ねじ孔１０ｂ側の端部にはローレット加工による滑り止め１０ｃが設けられている。
そして、その単位操作部材１０のねじ部１０ａを切断具本体１のねじ孔８に螺合し、必要に応じて、単位操作部材１０のねじ部１０ａとねじ孔１０ｂを使用して順次連結することにより、希望する長さの操作部材９を切断具本体１から延出させて取り付けるように構成されている。
【００１７】
支点部材２は、アルミや鉄などの金属製で、サッシＳのレールＲの一側面に当接する円柱状の支点部分１１ａ〜１１ｄと切断具本体１の取り付け孔４に挿入される軸部１２とを一体的に備え、各種の支点部分１１ａ〜１１ｄを有する多数本の支点部材２ａ〜２ｄ、例えば、径の異なる支点部分１１ａ，１１ｂや、径が異なり、かつ、軸部１２に対して偏心した支点部分１１ｃ，１１ｄを有する支点部材２ａ〜２ｄなどが多数本用意されている。
力点部材３も、アルミや鉄などの金属製で、レールＲの他側面に当接する円柱状の力点部分１３ａ〜１３ｄと切断具本体１の取り付け孔５に挿入される軸部１４とを一体的に備え、各種の力点部分１３ａ〜１３ｄを有する多数本の力点部材３ａ〜３ｄ、例えば、径の異なる力点部分１３ａ，１３ｂや、径が異なり、かつ、軸部１４対して偏心した力点部分１３ｃ，１３ｄを有する力点部材３ａ〜３ｄなどが多数本用意されている。
【００１８】
つぎに、このリブ切断具を使用してアルミ製のサッシＳからレールＲを切断して除去する手順などについて説明する。
まず、切断具本体１に対して単位操作部材１０を１本以上連結し、操作部材９を希望する長さに設定し、かつ、支点部材取り付け孔４と力点部材取り付け孔５を使用して、切断具本体１に対して支点部材２と力点部材３を取り付ける。
その際、レールＲの厚みなどに応じて、多数本ある支点部材２ａ〜２ｄと力点部材３ａ〜３ｄの中から最適なものを選択して使用するのであり、例えば、図３や図４に示すように、先端に側方への突起を有する特殊なレールＲであれば、偏心した支点部分１１ｃ，１１ｄを有する支点部材２ｃ，２ｄ（図３参照）や、偏心した力点部分１３ｃ，１３ｄ（図４参照）を有する力点部材３ｃ，３ｄを使用し、固定用ねじ孔６，７に固定用ねじ１５，１６を螺合して固定する。
【００１９】
そして、図５の（イ）に示すように、支点部材２（２ａ〜２ｄ）の支点部分１１ａ〜１１ｄをレールＲの一側面に当接させ、力点部材３（３ａ〜３ｄ）の力点部分１３ａ〜１１ｄをレールＲの他側面に当接させて、切断具本体１から延出する操作部材９を把持して人為力により、図５の（ロ）に示すように、矢印方向に回動させる。
すると、梃子の原理に基づいて、力点部材３に対して支点部材２周りへの大きな回動力が付与されて、その回動力に起因するせん断力により、レールＲがその基端部から切断される。その後、切断具本体１をレールＲの長手方向に移動させて再び同じ操作を行い、それを順次繰り返して長尺状のレールＲをサッシＳから切断して除去するのである。
このように支点部材２ａ〜２ｄと力点部材３ａ〜３ｄが多数本用意され、切断具本体１に対して取り付け及び取り外し自在に構成されているので、支点部材２ａ〜２ｄと力点部材３ａ〜３ｄを適宜選択して使用することにより、切断具本体１や操作部材９を共用しながら各種のレールＲに対応することができる。
【００２０】
このようにしてアルミ製サッシＳからレールＲを切断除去することにより、サッシＳのリフォームが可能となるのであり、つぎに、そのサッシＳのリフォームについて説明する。
近年、アルミ製サッシＳにおいて、防音タイプ、断熱タイプ、あるいは、日射コントロールタイプなどの種々の機能を備えたものが流通し、古い既存のサッシを新しいサッシに取り替えたいという要望もきわめて高い。
ところが、この種のサッシＳでは、例えば、サッシ外枠に設けられている室内側レールと室外側レールとのレール間隔が、メーカーや製造年代により異なっていて種々のものが存在するため、既存のサッシ外枠を建物側に残したままで、既存のサッシ内枠のみをリフォーム用のサッシ内枠に取り替えることはむずかしいとされていた。
【００２１】
このような問題を解決する工法のひとつとして、図６の（イ）に示すように、室内側レールＲ１と室外側レールＲ２との間隔がＬ１である既存のアルミ製サッシＳにおいて、サッシ外枠Ｓ１を建物側に残したままで、図６の（ロ）に示すように、レール間隔がＬ２のリフォーム用サッシ内枠に取り替える場合、既存のサッシ外枠Ｓ１から下側に位置する両レールＲ１，Ｒ２を切断除去し、図示はしないが、上側に位置する両レールも同様に切断除去するのであり、この既存レールＲ１，Ｒ２の切断や竪突条の切断に上述したリブ切断具を使用するのである。
そして、図７に示すように、リフォーム用サッシ内枠に対応するように予め準備されたリフォーム用の下側レールアタッチメントＲＡ、つまり、両レールＲ１，Ｒ２間の間隔がＬ２に設定された下側レールアタッチメントＲＡをビスあるいは接着剤などにより既存のサッシ外枠Ｓ１に取り付け、上側においても同様に上側レールアタッチメントを取り付けるのであり、この工法を採用することにより、既存のサッシ外枠Ｓ１を建物側に残したままサッシ内枠のみをリフォーム用の新たなものに取り替えることができるのである。
【００２２】
〔別実施形態〕
つぎに、本発明によるリブ切断具の別の実施形態について説明するが、重複説明を避けるため、先の実施形態で説明した構成部品や同じ作用を有する構成部品については、同じ符号を付すことで説明を省略し、主として先の実施形態と異なる構成について説明する。
【００２３】
（１）先の実施形態では、人為操作用の操作部材９を把持して、切断具本体１を回動させて力点部材３に回動力を付与しながら、その切断具本体１をレールＲの長手方向に移動させる構成のものを示したが、操作部材９により力点部材３に回動力を付与し、別の機構により切断具本体１をレールＲの長手方向に移動させるように構成することもでき、その一例を示したのが図８である。
この図８のリブ切断具では、力点部材３が切断具本体１に対して回転自在に保持され、かつ、力点部材３の外周面は、ローレット加工などによる凹凸面１７とされて、力点部材３を回転操作するための回転操作具１８が設けられている。
【００２４】
この別の実施形態によれば、図９に示すように、操作部材９を把持して矢印方向に押圧することで、力点部材３に対して支点部材２周りへの回動力を付与することになり、その状態で回転操作具１８を矢印方向に回転操作することにより、外周に凹凸面１７を有する力点部材３が、その回転に伴ってレールＲの長手方向へ移動しようとしてレールＲをせん断力により切断して除去することになる。
なお、この別の実施形態において、回転操作具１８に代えて減速機構付き電動モータを設け、その電動モータにより力点部材３を回転駆動するように構成することもできる。
【００２５】
（２）先の実施形態における操作部材９に代えて、図１０に示すように、枢支点Ｐにおいて互いに枢支連結された人為操作用の一対のレバー１９ａ，１９ｂを使用し、一方のレバー１９ａに支点部材２を設け、他方のレバー１９ｂに凹凸面１７を有する力点部材３を回転自在に保持させ、その力点部材３を回転操作する回転操作具１８を設けて実施することもできる。
この別の実施形態によれば、一対のレバー１９ａ，１９ｂが回動力付与手段として機能し、図１１に示すように、両レバー１９ａ，１９ｂを把持して矢印方向に引き寄せることにより、力点部材３に対して支点部材２周りへの回動力を付与することになる。そして、回転操作具１８を矢印方向に回転操作することにより、力点部材３がレールＲの長手方向へ移動しようとしてレールＲをせん断力により切断して除去することになり、この場合にも、回転操作具１８に代えて減速機構付きの電動モータを使用することができる。
【００２６】
（３）これまでの実施形態では、全手動操作式のリブ切断具や一部手動操作式のリブ切断具を示したが、全自動式のリブ切断具とすることもでき、その一例を示したのが図１２である。
この図１２のリブ切断具では、切断具本体１に対して支点部材２と凹凸面１７を有する力点部材３が回転自在に保持され、さらに、図１３に示すように、サッシＳのサッシ外枠Ｓ１側面に当接する案内ローラ２０も回転自在に保持され、案内ローラ２０と支点部材２の間にはクランプ機構２１が介装されていて、支点部材２が案内ローラ２０側へ引き寄せられるように構成されている。さらに、切断具本体１と力点部材３の間には引き付け機構２２が介装されて、力点部材３が支点部材２側に強制的に引き付けられるように構成され、切断具本体１に取り付けられた減速機構付き電動モータ２３により、支点部材２、力点部材３、及び、案内ローラ２０が互いに同期して回転駆動されるように構成されている。
この別の実施形態によれば、引き付け機構２２が回動力付与手段として機能し、力点部材３に対して支点部材２周りへの回動力を付与することになり、電動モータ２３の動力により切断具本体１がレールＲの長手方向に自走して、レールＲをせん断力により自動的に切断して除去することになる。
【図面の簡単な説明】
【図１】リブ切断具の使用状態を示す斜視図
【図２】リブ切断具の分解斜視図
【図３】リブ切断具の使用状態を示す断面図
【図４】リブ切断具の使用状態を示す断面図
【図５】リブ切断具の作用を示す説明図
【図６】アルミサッシのリフォーム前とリフォーム後を示す断面図
【図７】アルミサッシのリフォーム過程を示す斜視図
【図８】別の実施形態によるリブ切断具の平面図と側面図
【図９】別の実施形態によるリブ切断具の作用を示す説明図
【図１０】別の実施形態によるリブ切断具の平面図と側面図
【図１１】別の実施形態によるリブ切断具の作用を示す説明図
【図１２】別の実施形態によるリブ切断具の平面図
【図１３】別の実施形態によるリブ切断具の作用を示す説明図
【符号の説明】
１                    切断具本体
２                    支点部材
３                    力点部材
９                    回動力付与手段としての操作部材
１９ａ，１９ｂ，２２  回動力付与手段
Ｒ                    リブ
Ｓ                    リブ切断対象物としてのアルミ製のサッシ
【図１】
2004181562.tif 000003
【図２】
2004181562.tif 000004
【図３】
2004181562.tif 000005
【図４】
2004181562.tif 000006
【図５】
2004181562.tif 000007
【図６】
2004181562.tif 000008
【図７】
2004181562.tif 000009
【図８】
2004181562.tif 000010
【図９】
2004181562.tif 000011
【図１０】
2004181562.tif 000012
【図１１】
2004181562.tif 000013
【図１２】
2004181562.tif 000014
【図１３】
2004181562.tif 000015